(57)【要約】【課題】焚き火の上方位置だけでなく下方位置での調理も可能とした焚火台の提供。【解決手段】木材などの適宜な燃焼材１を燃焼させて焚き火をする焚火台であって、脚２を有する枠体３を有し、この枠体３の下方には前記燃焼材１を載置する燃焼材載置部４を設け、また、前記枠体３の上方には第一調理部材５・６を架設状態で配設する第一支持材７を設け、更に、前記枠体３には前記燃焼材載置部４の下方に第二調理部材９を架設状態で着脱自在に配設する第二支持材８を着脱自在に設ける。【選択図】図１
2020130741.tif 000002
【特許請求の範囲】
【請求項１】
木材などの適宜な燃焼材を燃焼させて焚き火をする焚火台であって、脚を有する枠体を有し、この枠体の下方には前記燃焼材を載置する燃焼材載置部が設けられ、また、前記枠体の上方には第一調理部材を架設状態で配設する第一支持材が設けられ、更に、前記枠体には前記燃焼材載置部の下方に第二調理部材を架設状態で着脱自在に配設する第二支持材が着脱自在に設けられていることを特徴とする焚火台。
【請求項２】
請求項１記載の焚火台において、前記第二支持材は一対で構成され、夫々の前記第二支持材の上端側には前記枠体に係止される枠係止部が設けられ、下端側には前記第二調理部材が係止する調理部材係止部が設けられていることを特徴とする焚火台。
【請求項３】
請求項２記載の焚火台において、前記調理部材係止部は上下方向に複数段設けられていることを特徴とする焚火台。
【請求項４】
請求項２，３いずれか１項に記載の焚火台において、前記第二支持材は夫々、一枚の金属板が折曲形成されて前記枠係止部及び少なくとも一つの前記調理部材係止部が設けられていることを特徴とする焚火台。
【請求項５】
請求項２〜４いずれか１項に記載の焚火台において、前記第二調理部材の両端部には前記調理部材係止部と係止する係止爪が設けられていることを特徴とする焚火台。
【請求項６】
請求項１〜５いずれか１項に記載の焚火台において、前記燃焼材載置部はメッシュ部材で構成されていることを特徴とする焚火台。
【請求項７】
請求項１〜６いずれか１項に記載の焚火台において、前記脚は線材を折曲形成して成る左右一対のフレーム脚で構成され、この各フレーム脚は前記枠体に対して擺動自在に設けられていることを特徴とする焚火台。
【発明の詳細な説明】
【技術分野】
【０００１】
本発明は、焚火台に関するものである。
【背景技術】
【０００２】
キャンプ等のアウトドア活動で焚き火をする際には、環境保護のため（地上の微生物を死滅させないため）、例えば特許文献１に開示されるような焚き火専用の焚火台が用いられている。
【０００３】
このような従来の焚火台では、焚き火の上方位置に焼き網や五徳等を設置して調理を行う場合がある。
【先行技術文献】
【特許文献】
【０００４】
【特許文献１】特開２０１０−２４３０４３号公報
【発明の概要】
【発明が解決しようとする課題】
【０００５】
本発明は、より使い勝手の良い焚火台を実現すべく種々の検討の結果完成したもので、枠体を脚で支持する構成として燃焼材載置部を地面から離して設置すると共に、燃焼材載置部の下方に第二調理部材を設けられるようにすることで、焚き火の上方位置だけでなく下方位置での調理も可能としたこれまでにない焚火台を提供するものである。
【課題を解決するための手段】
【０００６】
添付図面を参照して本発明の要旨を説明する。
【０００７】
木材などの適宜な燃焼材１を燃焼させて焚き火をする焚火台であって、脚２を有する枠体３を有し、この枠体３の下方には前記燃焼材１を載置する燃焼材載置部４が設けられ、また、前記枠体３の上方には第一調理部材５・６を架設状態で配設する第一支持材７が設けられ、更に、前記枠体３には前記燃焼材載置部４の下方に第二調理部材９を架設状態で着脱自在に配設する第二支持材８が着脱自在に設けられていることを特徴とする焚火台に係るものである。
【０００８】
また、請求項１記載の焚火台において、前記第二支持材８は一対で構成され、夫々の前記第二支持材８の上端側には前記枠体３に係止される枠係止部10が設けられ、下端側には前記第二調理部材９が係止する調理部材係止部11が設けられていることを特徴とする焚火台に係るものである。
【０００９】
また、請求項２記載の焚火台において、前記調理部材係止部11は上下方向に複数段設けられていることを特徴とする焚火台に係るものである。
【００１０】
また、請求項２，３いずれか１項に記載の焚火台において、前記第二支持材８は夫々、一枚の金属板が折曲形成されて前記枠係止部10及び少なくとも一つの前記調理部材係止部11が設けられていることを特徴とする焚火台に係るものである。
【００１１】
また、請求項２〜４いずれか１項に記載の焚火台において、前記第二調理部材９の両端部には前記調理部材係止部11と係止する係止爪12が設けられていることを特徴とする焚火台に係るものである。
【００１２】
また、請求項１〜５いずれか１項に記載の焚火台において、前記燃焼材載置部４はメッシュ部材17で構成されていることを特徴とする焚火台に係るものである。
【００１３】
また、請求項１〜６いずれか１項に記載の焚火台において、前記脚２は線材を折曲形成して成る左右一対のフレーム脚で構成され、この各フレーム脚は前記枠体３に対して擺動自在に設けられていることを特徴とする焚火台に係るものである。
【発明の効果】
【００１４】
本発明は上述のように構成したから、焚き火の上方位置だけでなく下方位置での調理も可能としたこれまでにない焚火台となる。
【図面の簡単な説明】
【００１５】
【図１】本実施例の概略説明斜視図である。
【図２】本実施例の概略説明縦断面図である。
【図３】本実施例の概略説明横断面図である。
【図４】本実施例の使用状態説明図である。
【図５】第一調理部材の別例を示す概略説明斜視図である。
【発明を実施するための形態】
【００１６】
好適と考える本発明の実施形態を、図面に基づいて本発明の作用を示して簡単に説明する。
【００１７】
燃焼材載置部４に載置される木材などの適宜な燃焼材１を燃焼させて焚き火をする際、焚き火の上方位置の第一調理部材５・６（焼き網、鉄板５、五徳６等）で従来通り調理を行えるのは勿論、燃焼材載置部４の下方、即ち焚き火の下方に配置した第二調理部材９（鉄板９）でも調理を行うことができる（図４参照）。
【００１８】
従って、本発明によれば、それだけ調理スペースを広くでき、また、火炎にさらされる第一調理部材５・６に比し焚き火の下方の第二調理部材９には火炎が接触し難く、それだけ焼きムラが少なく輻射熱により均一に加熱することができるため、例えば第二調理部材９においてピザＡをムラなく焼き上げることができるなど、多様な調理が可能となる。
【実施例】
【００１９】
本発明の具体的な実施例について図面に基づいて説明する。
【００２０】
本実施例は、木材などの適宜な燃焼材１を燃焼させて焚き火をする焚火台であって、図１〜３に図示したように、木材などの適宜な燃焼材１を燃焼させて焚き火をする焚火台であって、脚２を有する枠体３を有し、この枠体３の下方には前記燃焼材１を載置する燃焼材載置部４が設けられ、また、前記枠体３の上方には第一調理部材５・６を架設状態で配設する第一支持材７が設けられ、更に、前記枠体３には前記燃焼材載置部４の下方に第二調理部材９を架設状態で着脱自在に配設する第二支持材８が着脱自在に設けられているものである。
【００２１】
具体的には、本実施例は地面に直接木材（薪）等の燃焼材１を置くことなく焚き火を行うための金属製の焚火台であり、部材単位で分解して（脚２は折り畳んで）容易に持ち運びできるものである。
【００２２】
各部を具体的に説明する。
【００２３】
枠体３は平面視矩形状であり、四隅（短辺部側）に脚２の両端が挿通する挿通孔が設けられている。
【００２４】
前記脚２は線材を折曲形成して成る左右一対のフレーム脚で構成され、この各フレーム脚は前記枠体３に対して擺動自在に設けられている。具体的には、枠体３の挿通孔に内側から挿通される脚２（フレーム脚）の両端を軸に擺動することで、枠体３内に脚２を収納可能に構成されている。
【００２５】
また、枠体３の四隅内側（長辺部側）には第一支持材７の下端が着脱自在に挿通配設される筒状の支持材受け部13が設けられている。
【００２６】
第一支持材７は、支持材受け部13に挿通配設される下側が垂直で上側が外側に傾斜する一対の縦部材14と該縦部材14間に架設される横部材15とで構成されている。本実施例では各第一支持材７は夫々、一対の縦部材14間に上下二本の横部材15を所定間隔で架設して、第一調理部材５・６が係止する調理部材係止部を上下二段に設けている。
【００２７】
従って、例えば図４に図示したように第一支持材７の上段の調理部材係止部に鉄板５を設けても良いし、図５に図示したように第一支持材７の下段の調理部材係止部に鉄板５を設け、上段の調理部材係止部に五徳６を設けるなど、第一調理部材５・６の載置位置を適宜調整して適宜な火力で調理を行うことができる。なお、図５は第二支持材８を取り外した状態である。
【００２８】
また、燃焼材載置部４は、その幅方向両端部に夫々枠体３（の長辺部）に係止される引掛係止部16が設けられたシート状のメッシュ部材17により構成される。メッシュ部材17は、引掛係止部16を枠体３に夫々係止して配設した際、枠体３の下方に半円弧状に弛んだ状態となるようにその幅が設定されている。従って、薪等の燃焼材１に対する通気性が良好な燃焼材載置部４となり、燃焼材１の燃焼が良好に行われる。
【００２９】
第二支持材８は板状であり、夫々上端側に枠体３に係止される枠係止部10が設けられ、下端側に第二調理部材９が係止する調理部材係止部11が設けられた構成である。枠係止部10は枠体３の短辺部側に夫々係止され、燃焼材載置部４の長手方向両側に配置されることで、風防としての作用も発揮する。
【００３０】
前記調理部材係止部11は上下方向に複数段設けられている。本実施例では上下二段に設けられている。従って、第二調理部材９の燃焼材載置部４に対する位置調整（火力調整）を容易に行える。
【００３１】
具体的には、第二支持材８は夫々、一枚の金属板が折曲形成されて前記枠係止部10と最下段の前記調理部材係止部11とが設けられた構成である。本実施例では、一枚の金属板の上端部を外側に折り返し屈曲して枠係止部10を形成し、下端部を内側に折り返し屈曲して最下段の調理部材係止部11を形成している。また、上段の調理部材係止部11は別途折返し片18を金属板の内側面に溶接等により接合して設けている。
【００３２】
また、第二調理部材９としては鉄板９が採用され、この第二調理部材９の両端部には調理部材係止部11と係止する係止爪12が設けられている。なお、鉄板９に限らず、他の調理部材（調理棚）を配設しても良い。また、鉄板９は灰受けとして利用することもできる。
【００３３】
以上の構成の焚火台は、枠体３から第一支持材７及び第二支持材８を取り外し、脚２を枠体３内に擺動して収納し、これらを夫々重ねることでコンパクトにでき、持ち運びが容易となる。
【００３４】
本実施例は上述のように構成したから、燃焼材載置部４に載置される木材などの適宜な燃焼材１を燃焼させて焚き火をする際、焚き火の上方位置の第一調理部材５・６（焼き網、鉄板５、五徳６等）で従来通り調理を行えるのは勿論、燃焼材載置部４の下方、即ち焚き火の下方に配置した第二調理部材９（鉄板９）でも調理を行うことができる（図４参照）。
【００３５】
従って、それだけ調理スペースを広くでき、また、火炎にさらされる第一調理部材５・６に比し焚き火の下方の第二調理部材９には火炎が接触し難く、それだけ焼きムラが少なく輻射熱により均一に加熱することができるため、例えば第二調理部材９においてピザＡをムラなく焼き上げることができるなど、多様な調理が可能となる。
【００３６】
よって、本実施例は、焚き火の上方位置だけでなく下方位置での調理も可能としたこれまでにない焚火台となる。
【符号の説明】
【００３７】
１  燃焼材
２  脚
３  枠体
４  燃焼材載置部
５  第一調理部材（鉄板）
６  第一調理部材（五徳）
７  第一支持材
８  第二支持材
９  第二調理部材（鉄板）
10  枠係止部
11  調理部材係止部
12  係止爪
17  メッシュ部材
【図１】
2020130741.tif 000003
【図２】
2020130741.tif 000004
【図３】
2020130741.tif 000005
【図４】
2020130741.tif 000006
【図５】
2020130741.tif 000007